(57)【要約】【課題】  フットボードの位置を調節して、患者の足裏にフットボードを当てるようにすることで、尖足を予防することができる、尖足対策ベッド装置を提供する。【解決手段】  使用者に応じて前記フットボード９をベッド装置１長手方向に進退調節すると共に、前記フットボード９をフットボード基体８に対し、ベッド装置１長手方向に支持位置を調節して支持することで、フットボード９に、使用者の足裏を接地させて、尖足予防に供する構成とする。  前記フットボード基体８は、例えば周知の合成樹脂成形体で構成し、ボトム５上のマットレス６の足側端部が当接するマットレス止１２を突設する。  そして、前記フットボード基体８における受部１３、１３の支持位置調節用受穴１４に、前記フットボード９を、支持軸１６を介して装着する。【選択図】              図３
2006136668.tif 000002
【特許請求の範囲】
【請求項１】
ベッド装置における足側のメインフレーム末端側に、メインフレーム長手方向に進退可能に延長フレームを設けると共に、この延長フレーム端部にフットボード基体を装着して、ボトム長を調節可能に構成し、前記フットボード基体にフットボードを、ベッド装置長手方向に支持位置を調節可能に支持する構成とし、使用者に応じて前記フットボード基体をベッド装置長手方向に進退調節すると共に、前記フットボードをフットボード基体に対し、ベッド装置長手方向に支持位置を調節して支持することで、フットボードに、使用者の足裏を接地させて、尖足予防に供するようにしたことを特徴とする尖足対策ベッド装置。
【請求項２】
前記フットボード基体は、ボトム上のマットレス足側端部が当接するマットレス止を有し、ベッド装置幅方向両端部側に、フットボードを支持位置調節用受穴を形成した受部を備え、前記フットボードは、前記マットレスまたはマットレス止を跨ぐようにして前記フットボード基体における受部の支持位置調節用受穴に装着する構成としたことを特徴とする請求項１記載の尖足対策ベッド装置。
【請求項３】
前記フットボードをフットボード基体に対し、ベッド装置長手方向に支持位置を無段階的に調節して支持する構成としたことを特徴とする請求項１記載の尖足対策ベッド装置。
【請求項４】
前記マットレスは、ボトム上に載置して、ボトム最長時の寸法に対応した長さで、所定の厚さの軟質性素材で構成したマットレス素材を有し、このマットレス素材の前記ボトムの足側寄りの箇所に対応した部位に、局所的に反発性を低減させる加工を施すことで、前記ボトム長の短縮調節に追従収縮変形可能に構成したことを特徴とする請求項１記載の尖足対策ベッド装置。
【発明の詳細な説明】
【技術分野】
【０００１】
本発明は、長期療養の患者が、下肢の筋肉の萎縮に起因する尖足を予防する効果がある、尖足対策ベッド装置に関するものである。
【背景技術】
【０００２】
従来より、ベッド装置は、所定の規格を基に形成されており、例えば使用者の中には、前記規格のベッドでは適合しない人（身長が高すぎてマットレス上に乗ると、足がフットボードに当たって、大腿部から下肢部を伸ばすことができない人）もおり、このような使用者のために、予めフレーム全長を通常の規格寸法よりも長く設定しておき、足側ボトムに、延長用ボトムをボード取付け部の目板を利用して取り付けて対処してきた。
また、最近では、予め規格寸法の異なる、交換用の足側フレームを備えて、適合した長さの足側フレームに交換して対処することも提案されている。
【０００３】
ところで、足などの骨折等によって、長期間、治療のために、ベッド上での生活を強いられている患者には、下肢の筋肉の萎縮が起こりやすく、特にふくらはぎの萎縮のために、つま先が延びた状態になる、いわゆる尖足となるおそれがある。
一旦、そのような尖足状態となると、せっかく骨折等が治っても、歩行や、立ち上がったり、座ったりする動作が困難となるので、機能回復訓練において、例えば
【特許文献１】（特開平１０−３０５０６６号公報）に示すような特殊な訓練具によって、萎縮した筋肉を強制的に伸縮させる必要があった。
【発明の開示】
【発明が解決しようとする課題】
【０００４】
しかしながら、上記尖足は、ベッド上において、つま先が延びた状態にならないように、治療に差し支えない範囲で、足首を動かしたり、足裏に何か板などを当てるかして、常につま先立ち状態にならないようにケアをすれば、予防は可能であると考えられる。
ただ、こうしたケアは、看護師や付添人頼りとなるので、ベッド自体で、そのような対策が講じられるか、検討がなされてきた。
本発明はこのような背景から、提案されたものであって、ベッド装置のボトム長さの伸縮調節機能に着目し、フットボードの位置を調節して、患者の足裏にフットボードを当てるようにすることで、尖足を予防することができる、尖足対策ベッド装置を提供することを目的とする。
【課題を解決するための手段】
【０００５】
前記した課題を解決するために、本発明では、請求項１において、ベッド装置における足側のメインフレーム末端側に、メインフレーム長手方向に進退可能に延長フレームを設けると共に、この延長フレーム端部にフットボード基体を装着して、ボトム長を調節可能に構成し、前記フットボード基体にフットボードを、ベッド装置長手方向に支持位置を調節可能に支持する構成とし、使用者に応じて前記フットボード基体をベッド装置長手方向に進退調節すると共に、前記フットボードをフットボード基体に対し、ベッド装置長手方向に支持位置を調節して支持することで、フットボードに、使用者の足裏を接地させて、尖足予防に供するようにした尖足対策ベッド装置を提案する。
また本発明では、請求項２において、前記フットボード基体は、ボトム上のマットレス足側端部が当接するマットレス止を有し、ベッド装置幅方向両端部側に、フットボードを支持位置調節用受穴を形成した受部を備え、前記フットボードは、前記マットレスまたはマットレス止を跨ぐようにして前記フットボード基体における受部の支持位置調節用受穴に装着する構成とした尖足対策ベッド装置を提案する。
また本発明では、請求項３において、前記フットボードをフットボード基体に対し、ベッド装置長手方向に支持位置を無段階的に調節して支持する構成とした尖足対策ベッド装置を提案する。
さらに本発明では、請求項４において、前記マットレスは、ボトム上に載置して、ボトム最長時の寸法に対応した長さで、所定の厚さの軟質性素材で構成したマットレス素材を有し、このマットレス素材の前記ボトムの足側寄りの箇所に対応した部位に、局所的に反発性を低減させる加工を施すことで、前記ボトム長の短縮調節に追従収縮変形可能に構成した尖足対策ベッド装置を提案する。
【発明の効果】
【０００６】
本発明によれば、ベッド装置のボトム長調節機能を生かし、しかも、フットボードをベッド装置足側末端で、ベッド装置長手方向に取り付け位置を調整することで、使用者の足裏を、フットボードに接地することができるので、使用者の身長によらず、より広範な範囲で、体位を動かすことが困難な使用者が尖足となるのを確実に予防することができる。
【０００７】
請求項１によれば、使用者に応じて前記フットボード基体をベッド装置長手方向に進退調節すると共に、前記フットボードをフットボード基体に対し、ベッド装置長手方向に支持位置を調節して支持することで、フットボードに、使用者の足裏を接地させて、尖足予防に供することができる。
【０００８】
請求項２によれば、前記フットボードをフットボード基体の受部に設けた支持位置調節用受穴に装着して、支持することで、フットボードを、使用者の足裏が接地するように合わせることができる。
【０００９】
請求項３によれば、フットボード基体にフットボードを無段階的に調節して支持する構成とすれば、使用者の足裏にフットボードを当てる一連の作業を、よりきめ細かく、且つ容易に行うことができる。
【００１０】
請求項４によれば、ボトム長調節作業の際、延長マットレスを置いたり、取り払ったりする手間が不要となる。
【発明を実施するための最良の形態】
【００１１】
以下、本発明にかかる尖足対策ベッド装置につき、一つの実施の形態を挙げ、添付の図面に基づいて説明する。
図１に尖足対策ベッド装置１の一例を示す。このベッド装置１は、台車部２に、昇降脚部３を介してメインフレーム４を支持し、メインフレーム４上にボトム５を保持してマットレス６を載置するようにしている。
このベッド装置１では、ベッド装置１における足側のメインフレーム４末端側に、メインフレーム４長手方向に進退可能に延長フレーム７を設けると共に、この延長フレーム７端部にフットボード基体８を装着して、ボトム長を調節可能に構成している（図２参照）。
また、前記フットボード基体８にはフットボード９を、ベッド装置１長手方向に支持位置を調節可能に支持する構成としている。なお、前記延長フレーム７がメインフレーム４内から引き出された際、不用意に延長フレーム７がメインフレーム４内に退動しないように、適宜な拘束手段（図示省略）を備えることができる。また、逆に、延長フレーム７を引き出さないで使用する場合に、前記延長フレーム７が、使用しているうちに簡単に引き出されないようにロック手段を設けるようにしてもよい。
そしてこのような構成によって、使用者に応じて前記フットボード９をベッド装置１長手方向に進退調節すると共に、前記フットボード９をフットボード基体８に対し、ベッド装置１長手方向に支持位置を調節して支持することで、フットボード９に、使用者の足裏を接地させて、尖足予防に供する構成である。
【００１２】
前記ボトム５には、前記メインフレーム４末端側から進退する延長フレーム７に連動して、延長ボトム１０を進退可能に設ける構成とすることができる。
また、前記マットレス６には、周知の標準長のものを用いることができる。この場合、ベッド装置１のボトム長を拡張したときに、延長フレーム７に連動して引き出された延長ボトム１０上に、延長マットレス１１を載置するようにしている。
【００１３】
そして、前記フットボード基体８は、例えば周知の合成樹脂成形体で構成し、ボトム５上のマットレス６の足側端部が当接するマットレス止１２を突設している（図３参照）。このマットレス止１２は、頂部が前記マットレス６の上面にほぼ等しい高さとし、また、幅寸法がマットレス６の寸法と同等としている。なお、前記フットボード基体８の外周部は、肉厚に成形することで、緩衝部材としての機能ももたらしている。
また、前記フットボード基体８には、ベッド装置幅方向両端部に対応する箇所に、フットボード９を装着する受部１３、１３を設け、これら受部１３、１３に、例えばベッド装置長手方向に２個列設した支持位置調節用受穴１４を設けている。勿論、支持位置調節用受穴１４は、２個に限らず、３個以上も可能である。
【００１４】
一方、前記フットボード９は、前記フットボード基体８のマットレス止１２を介して、フットボード基体８における受部１３、１３の支持位置調節用受穴１４に装着できるように、下端側が前記マットレス止１２を受け入れる切欠部１５を設けている。
そして、前記フットボード９の下端側両端部側には、前記フットボード基体８における双方の受部１３、１３の支持位置調節用受穴１４に差し込むための支持軸１６をそれぞれ突設している。
【００１５】
本発明にかかる尖足対策ベッド装置は以上のように構成されるものであり、次にこのベッド装置１の作用を説明する。
使用に当たり、先ず、尖足対策ベッド装置１を、使用者の身長に応じて、ボトム５長を調節する。もし、使用者が、標準身長の範囲にあると見られる場合は、使用者はそのまま、ボトム５上の標準長のマットレス６に横たわり、使用することができる（図１参照）。
【００１６】
次いで、その使用者が、下肢部などの怪我や、その他、重症病のため、長期に亘る入院を要する場合は、足首が硬直しないようにするケアが必要となる。
看護師や付添人は、ベッド装置１が標準長の状態で、使用者の足裏にある程度余裕の状態でフットボード９に接地させるように、使用者の身体をずらすことを試みる。このような場合、看護師等は、フットボード基体８に装着したフットボード９に、使用者の足裏が着けられるか見る。すなわち、足首の角度αが、立ち姿勢を維持する際の角度近傍であるか、留意する。もし、つま先側がフットボード９により脛の方に押されているときは、使用者にとっては、窮屈感を覚え、苦痛であるので、若干、フットボード９面から足裏を離すようにする。
【００１７】
次に、使用者の身長が標準身長に満たないような場合は、フットボード基体８に装着したフットボード９の取り付け位置を頭側に変えてみる。
前記フットボード９を持ち上げて、フットボード基体８における受部１３、１３の支持位置調節用受穴１４から離脱させ、ベッド装置頭寄りの支持位置調節用受穴１４に、支持軸１６を差し入れて、フットボード９を保持することができる。これによって、使用者の足裏が、余裕の状態でフットボード９に接地させることができるようになればよい。
【００１８】
以上のようにすることで、当初、使用者は、足裏にフットボード９が当たるので慣れないうちは違和感を感ぜざるを得ないが、長期に亘るベッド生活により、ふくらはぎの萎縮による尖足を予防することができる。
【００１９】
一方、使用者が、標準身長より高い場合には、ベッド装置１のボトム長を拡張させる（図２参照）。この際、フットボード基体８を引っ張り、延長フレーム７をメインフレーム４内から引き出すことで、延長フレーム７に連動して延長ボトム１０が引き出されるのでこの延長ボトム１０上に、延長マットレス１１を載置するようにする。これにより、使用者は、ボトム５上のマットレス６に横たわり、使用することができる。
【００２０】
そして、同様に看護師や付添人は、使用者の足裏が、余裕の状態でフットボード９に接地させるように、使用者の身体をずらすことを試みる。これによって、使用者の足裏が、余裕の状態でフットボード９に接地させることができるようになればよい。
一方、使用者の身体をずらしただけでは、足裏をフットボード９に接地させることができないときは、フットボード基体８に装着したフットボード９の取り付け位置を変えてみた上で、使用者の身体をずらして足裏をフットボード９に接地させるようにすればよい。
【００２１】
このように、本発明にかかる尖足対策ベッド装置１では、ボトム長調節機能を生かし、しかも、フットボード９をベッド装置１足側末端で、ベッド装置１長手方向に取り付け位置を調整することで、使用者の足裏を、フットボード９に接地することができるので、より広範な範囲で様々な身長の使用者に対応することができ、体位を動かすことが困難な使用者が尖足となるのを確実に予防することができる。
従って、これまでのように特殊な訓練具等を用いて、患者にとってつらい機能回復訓練を行う必要がなくなる。
【００２２】
以上、本発明にかかる尖足対策ベッド装置について説明したが、これらの具体的構成は一例であって、本発明にかかる尖足対策ベッド装置は、この実施例に限定されるものではない。
例えば、ベッド装置１のボトム長調節機能は他の構成も可能であり、また、マットレスに標準長のものを用いたが、図示は省略するが、この他、例えば足側のマットレスの箇所を適宜な打ち抜き加工により反発性を低下させて、ボトム長調節に追従させるようにしたものも可能である。
【００２３】
このようなマットレスを用いれば、ボトム長調節作業の際、延長マットレス１１を置いたり、取り払ったりする手間が不要となる。
【００２４】
また、フットボード基体８にフットボード９を、ベッド装置長手方向に支持位置を調節可能に支持する構成として、フットボード基体８にフットボード９を無段階的に支持する機構も可能である（図示省略）。
【００２５】
このようなフットボード基体８にフットボード９を無段階的に支持する機構を用いれば、使用者の足裏にフットボード９を当てる一連の作業を、よりきめ細かく、且つ容易に行うことができる。
【図面の簡単な説明】
【００２６】
【図１】本発明にかかる尖足対策ベッド装置のボトム長さを標準長にして使用する際の、側面説明図である。
【図２】本発明にかかる尖足対策ベッド装置のボトム長さを拡張して使用する際の、側面説明図である。
【図３】図１、図２に示すベッド装置の要部拡大斜視説明図である。
【図４】使用者の足裏がフットボードに着ける際の要部拡大斜視説明図である。
【符号の説明】
【００２７】
１                        ベッド装置
２                        台車部
３                        昇降脚部
４                        メインフレーム
５                        ボトム
６                        マットレス
７                        延長フレーム
８                        フットボード基体
９                        フットボード
１０                      延長ボトム
１１                      延長マットレス
１２                      マットレス止
１３                      受部
１４                      支持位置調節用受穴
１５                      切欠部
【図１】
2006136668.tif 000003
【図２】
2006136668.tif 000004
【図３】
2006136668.tif 000005
【図４】
2006136668.tif 000006